(57)【特許請求の範囲】
【請求項１】
上部架台と下部架台や基台と負荷との間に介装されて負荷を支えると共に振動を吸収する圧縮バネと、圧縮バネの両端に配設された端部部材とで構成される防振装置であって、
上記圧縮バネは、その端部がバネ本体の内側に折曲されており、端部部材に突設された連結手段の挿通孔に前記圧縮バネの折曲端部が挿通して係合されており、
端部部材に設けられたモールド部材内に圧縮バネの端部が埋入されていることを特徴とする防振装置。
【請求項２】
上部架台と下部架台や基台と負荷との間に介装される防振装置であって、
軸方向に伸縮し、且つ軸方向端部が閉塞された有底伸縮筒体と、該筒体内に内装され筒体への負荷を支えると共に振動を吸収する圧縮バネと、該圧縮バネと上記有底伸縮筒体とを連結する連結手段とからなり、
上記圧縮バネは、その端部がバネ本体内側に折曲されており、有底伸縮筒体の閉塞端部に突設された連結手段の挿通孔に前記圧縮バネの折曲端部が挿通して係合されており、
有底伸縮筒体の閉塞端面に設けられたモールド部材内に圧縮バネの端部が埋入されていることを特徴とする防振装置。
【請求項３】
圧縮バネの折曲端部の先端部に、バネ係止用挿通孔からの抜けを防止するストッパ手段が取付けられている事を特徴とする請求項１又は２に記載の防振装置。
【発明の詳細な説明】
【０００１】
【産業上の利用分野】
本発明は、負荷載置用の上部架台とベースへの設置用の下部架台、又は基台と負荷との間に直接介装される防振装置の改良に関する。
【０００２】
【従来の技術】
負荷載置用の上部架台（Ａ）と、ベースへの設置用の下部架台（Ｂ）との間に介装され、上部架台（Ａ）に据えられる負荷装置（Ｆ）を支承すると共に負荷装置（Ｆ）の稼働時に負荷装置（Ｆ）から発生する振動を吸収するための従来の防振装置（Ｃ）として、例えば図１０、１１に示すように、互いに遊嵌し合う上部有底筒体（ｄ１）及び下部有底筒体（ｄ２）からなる伸縮筒体（Ｄ）と、この伸縮筒体（Ｄ）内に収納される圧縮バネ（Ｅ）とから主として構成されているものが知られている。
【０００３】
上記伸縮筒体（Ｄ）において、上部有底筒体（ｄ１）の下端開口縁内周には内鍔（ｕ）が突設されており、下部有底筒体（ｄ２）の上端開口縁外周には外鍔（ｖ）が突設されている。圧縮バネ（Ｅ）は予圧をかけて伸縮筒体（Ｄ）内に収納されており、その弾発力にて上記外鍔（ｖ）と内鍔（ｕ）とが係合し合う構成となっており、これにより防振装置（Ｃ）は一体化されてバラけず、取り扱いが容易となっている。
【０００４】
しかしながら、外鍔（ｖ）と内鍔（ｕ）とによるこのような係合構造では、稼働時の負荷装置（Ｆ）の重心移動により、上部有底筒体（ｄ１）が下部有底筒体（ｄ２）に対して傾むいたり位置がずれたりすると、内・外鍔（ｕ）（ｖ）のいずれかが下・上部有底筒体（ｄ２）（ｄ１）に接触してバネ定数が急激に高くなり、バネ性が劣化すると同時に接触部分から振動が伝わるという問題があり、バネ特性や振動防止の観点から不十分な点があった。
又、組み立てには圧縮バネ（Ｅ）を圧縮して外鍔（ｖ）と内鍔（ｕ）とを係合させる必要があり、大型のものにあっては圧縮が困難であって組み立てにも手間がかかるという問題があった。
【０００５】
【発明が解決しようとする課題】
そこで本発明の解決しようとする課題は、圧縮バネが端部部材や有底伸縮筒体の閉塞端部に一体的に固定されていて搬送性や取付性及び組み立て性が良好であり、かつバネ特性を損なう事なく騒音や振動の対策も十分な防振装置を提供するにある。
【０００６】
【課題を解決するための手段】
かくして『請求項１』にかかる第１実施例の防振装置(1a)によれば、『上部架台(A)と下部架台(B)や基台(b)と負荷(F)との間に介装されて負荷(F)を支えると共に振動を吸収する圧縮バネ(3)と、圧縮バネ(3)の両端に配設された端部部材(6)(7)とで構成される防振装置(1a)であって、上記圧縮バネ(3)は、その端部(31)がバネ本体(3a)の内側に折曲されており、端部部材(6)(7)に突設された連結手段(5)の挿通孔(5a)に前記圧縮バネ(3)の折曲端部(31)が挿通して係合されており、端部部材(6)(7)に設けられたモールド部材(8)内に圧縮バネ(3)の端部(31)が埋入されている』ことを特徴とする。
【０００７】
これによれば、圧縮バネ(3)の折曲端部(31)が端部部材(6)(7)に突設された連結手段(5)の挿通孔(5a)に挿通して係合されているので、圧縮バネ(3)と両端の端部部材(6)(7)とが一体となっていて取り扱いが簡便である。又、これらの組み立ては折曲端部(31)を挿通孔(5a)に挿通して係合するだけであって圧縮バネ(3)を圧縮する必要がないので、非常に簡単である。
また、第１実施例の防振装置(1a)は、圧縮バネ(3)の両端に端部部材(6)(7)が取り付けられているだけであるので、上部架台(A)と下部架台(B)や基台(b)と負荷(F)との間に介装された場合に従来のようにバネ特性を劣化させるような鍔が存在しないので、その圧縮バネ(3)の持つバネ特性に従って防振作用がなされるものである。
さらにまた、圧縮バネ(3)の折曲端部(31)が単なる曲げ加工にて形成されており、圧縮バネ(3)の中心軸に対して折曲端部(31)が直角となっていない場合であっても、端部部材(6)に設けられたモールド部材(8)内に圧縮バネ(3)の端部(31)の全部又は一部を浮かして埋入する事で、圧縮バネ(3)を端部部材(6)に垂直に取り付ける事ができる。
【０００８】
ここで、端部部材（６）（７）に突設された連結手段（５）は、勿論これらに限られるものではないが、図２のボルト体（５１）やプレス加工によって形成されたプレス成形部（５４）等で構成されている。
ボルト体（５１）を使用する場合には、上記端部部材（６）（７）の中央部にボルト挿通孔（２３ａ）（２３ｂ）が穿設される。
また、上記端部部材（６）（７）の外側には、遮音パッド（４）が装着されることが好ましく、その場合には遮音パッド（４）の架台（Ａ）（Ｂ）又は基台（ｂ）や負荷（Ｆ）と接触する側が波状に形成されていることがさらに好ましい。
上記遮音パッド（４）が取付けられる場合は、このパッド（４）にもボルト挿通孔（４ａ）が設けられる。
【０００９】
圧縮バネ(3)は、各折曲端部(31)がバネ本体(3a)の内側に折曲される。この場合、バネ本体(3a)の中心軸に向かう方向でかつ端部部材(6)(7)と平行（圧縮バネ(3)の中心軸に対して直角）に折曲することが、圧縮バネ(3)を端部部材(6)(7)に垂直に取り付ける上で好ましい。
【００１０】
連結手段（５）がボルト本体（５２）とナット（５３）より構成される場合、ボルト本体（５２）は頭部及び雄ネジが刻設された脚部からなるいわゆるボルト様形状のものであってもよく、また頭部が無い単なる棒状で外周に雄ネジが刻設された形状からなるものでもよい。上記ボルト本体（５２）の有底伸縮筒体（２）への挿入端部には圧縮バネ（３）の各折曲端部（３１）が挿通されるバネ係止用挿通孔（５ａ）が穿設される。
【００１１】
請求項２の防振装置(1b)は『上部架台(A)と下部架台(B)や基台(b)と負荷(F)との間に介装される防振装置(1b)であって、軸方向に伸縮し、且つ軸方向端部が閉塞された有底伸縮筒体(2)と、該筒体(2)内に内装され筒体(2)への負荷(F)を支えると共に振動を吸収する圧縮バネ(3)と、該圧縮バネ(3)と上記有底伸縮筒体(2)とを連結する連結手段(5)とからなり、上記圧縮バネ(3)は、その端部(31)がバネ本体(3a)の内側に折曲されており、有底伸縮筒体(2)の閉塞端部(22a)(22b)に突設された連結手段(5)の挿通孔(5a)に前記圧縮バネ(3)の折曲端部(31)が挿通して係合されており、有底伸縮筒体(2)の閉塞端面(22a)(22b)に設けられたモールド部材(8)内に圧縮バネ(3)の端部(31)が埋入されている』ことを特徴とする。
【００１２】
この場合は、第１実施例(1a)と違って、圧縮バネ(3)が軸方向に伸縮し、且つ軸方向端部が閉塞された有底伸縮筒体(2)内に収納されている場合で、この場合も有底伸縮筒体(2)の閉塞端部(22a)(22b)が圧縮バネ(3)とが連結手段(5)の挿通孔(5a)にて接続されている。
これにより、圧縮バネ(3)と有底伸縮筒体(2)とが一体となっていて、取り扱いが簡便であるばかりか、従来のようにバネ特性を劣化させる外鍔(v)や内鍔(u)のようなものがないので、これらが有底伸縮筒体(2)に接触すると言うような事がなく、第１実施例(1a)と同様に圧縮バネ(3)の持つバネ特性に従って防振作用がなされるものである。
上記有底伸縮筒体(2)は互いに遊嵌し合う上部有底筒体(2a)と下部有底筒体(2b)とから構成されるものが好ましい。有底伸縮筒体(2)の各閉塞端面(22a)(22b)の外側には、前述同様例えば合成ゴム製の遮音パッド(4)等が取付けられることが好ましい。その他、連結手段(5)や遮音パッド(4)、圧縮バネ(3)や折曲端部(31)の形状や折曲方向、閉塞端面(22a)(22b)の中央部に穿設されるボルト挿通孔(23a)(23b)等は第１実施例(1a)と同様である。
なお、前述同様、圧縮バネ(3)の折曲端部(31)が単なる曲げ加工にて形成されており、圧縮バネ(3)の中心軸に対して折曲端部(31)が直角となっていない場合であっても、有底伸縮筒体(2)の閉塞端面(22a)(22b)に設けられたモールド部材(8)内に圧縮バネ(3)の端部(31)の全部又は一部を浮かして埋入する事で、圧縮バネ(3)を有底伸縮筒体(2)の閉塞端面(22a)(22b)に垂直に取り付ける事ができる。
【００１３】
請求項３は第１，２実施例（１ａ）（１ｂ）を更に詳しく規定したもので、『圧縮バネ（３）の各折曲端部（３１）の先端部に、バネ係止用挿通孔（５ａ）からの抜けを防止するストッパ手段（３２）が取付けられている』事を特徴とする。
ストッパ手段（３２）としては、折曲端部（３１）に着脱自在に挿着できる樹脂製のキャップや、各折曲端部（３１）に穿設される挿通孔（５ａ）とこの挿通孔（５ａ）に挿脱自在に嵌挿されるピンとの組合せ等を挙げることができる。ここではキャップ（３２）をその代表例として図示している。
【００１５】
【作用】
請求項１，２にかかる防振装置(1a)(1b)によれば、端部部材(6)(7)又は有底伸縮筒体(2)内に収納された圧縮バネ(3)は、各端部(31)がバネ本体(3a)の内側に折曲されていて、且つこの折曲端部(31)が連結手段(5)のバネ係止用挿通孔(5a)に挿通されているので、有底伸縮筒体(2)と圧縮バネ(3)とは連結手段(5)によって一体的に組合わされることとなり、搬送中にバラけることはない。
また、このように構成された防振装置(1a)(1b)が上部架台(A)と下部架台(B)、又は基台(B)と負荷(F)との間に介設されたとき、連結手段(5)はそれぞれの架台(A)(B)や基台(b)又は負荷(F)への取付手段としても機能することができる。
また、上部架台(A)又は端部部材(6)に取付けられる装置等による負荷(F)を防振装置(1a)(1b)が受けて圧縮バネ(3)が伸縮しても、第１実施例(1a)の場合には有底伸縮筒体(2)そのものがなく、第２実施例(1b)の場合には有底伸縮筒体(2)に鍔構造のような係合部がないので、従来のように鍔が接触するというような事がなく、制振をスムーズに行えることとなる。
さらにまた、圧縮バネ(3)の折曲端部(31)が単なる曲げ加工にて形成されており、圧縮バネ(3)の中心軸に対して折曲端部(31)が直角となっていない場合であっても、圧縮バネ(3)を端部部材(6)又は有底伸縮筒体(2)の閉塞端面(22a)(22b)に垂直に取り付ける事ができる。
【００１６】
請求項３にかかる防振装置（１ａ）（１ｂ）によれば、圧縮バネ（３）の各折曲端部（３１）にストッパ（３２）が着脱可能に取付けられているので、一体的係合が確実になると共に、必要に応じてこの係合を解除することもできる。
【００１８】
【実施例】
以下、本発明を図示実施例に従って詳述するが、これによって本発明が限定されるものではない。図１は本発明の防振装置(1)の第１実施例(1a)を基台(b)となる窓枠と負荷(F)となる換気扇との間に介設したときの断面図、図２はその防振装置(1a)を９０°回転した時の縦断面図、図４は防振装置(1a)の他の実施例の断面図である。
【００１９】
防振装置(1)の第１実施例(1a)には、図２に示されるように、圧縮バネ(3)と、圧縮バネ(3)の両端に配設された端部部材(6)とで構成されており、連結手段(5)がボルト本体(52)とナット(53)より構成される場合と、図４のように連結手段(5)がプレス加工によって形成されたプレス成形部(54)である場合とがある。
いずれの場合も圧縮バネ(3)は、その端部(31)がバネ本体(3a)の内側に折曲されている。この場合、バネ本体(3a)の中心軸に向かう方向でかつ端部部材(6)(7)と平行（圧縮バネ(3)の中心軸に対して直角）に折曲することが、圧縮バネ(3)を端部部材(6)(7)に垂直に取り付ける上で好ましいが、曲げ加工精度が高くないので一般的には圧縮バネ(3)の中心軸に対して直角に折曲されず多少外れる事になる。そこで、一般的には圧縮バネの端部を研磨して圧縮バネの中心軸に対して端部が直角になるように加工されるが、本発明では単に折曲されるだけで研磨加工は行われない。従って、前述のように圧縮バネ(3)の中心軸に対して折曲端部(31)の折曲方向が多少直角から外れる事になる。この場合、圧縮バネ(3)を端部部材(6)(7)に取り付けると圧縮バネ(3)の端部全体が端部部材(6)(7)に当接しないので、グラグラするが、後述する手段により垂直に取り付けられる。
【００２０】
端部部材(6)(7)に突設された連結手段(5)がプレス加工によって形成されたプレス成形部(54)である場合には、端部部材(6)(7)の中心をプレスして一部押し出し加工を施し、これにより図４に示すような突起、即ちプレス成形部(54)を形成する。プレス成形部(54)には挿通孔(5a)が形成される事になる。又、連結手段(5)がボルト本体(52)とナット(53)より構成される場合は前述の通りであり、ボルト本体(52)は外面に雄ネジが刻設されたボルト様形状、又は単なる棒状で、圧縮バネ(3)の折曲端部(31)が挿通されるバネ係止用挿通孔(5a)がその端部に穿設されている。
【００２１】
端部部材（６）（７）の中央部には前述のようにボルト挿通孔（２３ａ）（２３ｂ）が穿設されるが、圧縮バネ（３）の折曲端部（３１）が嵌まり込む長孔（９）をボルト挿通孔（２３ａ）（２３ｂ）に合わせて形成してもよい。勿論、長孔（９）の幅は、ボルト挿通孔（２３ａ）（２３ｂ）より狭く、従ってボルト挿通孔（２３ａ）（２３ｂ）が長孔（９）の両側辺からはみ出す事になる。
【００２２】
端部部材（６）（７）の外側には、遮音パッド（４）が装着されており、遮音パッド（４）の架台（Ａ）（Ｂ）又は基台（ｂ）や負荷（Ｆ）と接触する側が波状に形成されている。
又、圧縮バネ（３）の各折曲端部（３１）の先端部に、バネ係止用挿通孔（５ａ）からの抜けを防止するストッパ手段（３２）となる樹脂製のキャップが取付けられており、これにより、折曲端部（３１）が挿通孔（５ａ）から脱落する事がない。
【００２３】
圧縮バネ（３）は端部部材（６）にこのようにして取り付けられるが、前述のように圧縮バネ（３）の折曲端部（３１）は曲げ精度が低く、一般的に端部部材（６）に垂直に立てる事ができずグラグラするが、折曲端部（３１）が外側に出ている場合には前記長孔（９）内に折曲端部（３１）が嵌まり込むようにして垂直に立ててモールド部材（８）内に埋入する。逆に折曲端部（３１）が内側に凹んでいる場合には、垂直に立てそのままモールド部材（８）内に埋入するようにしてもよい。この時、圧縮バネ（３）の端部（３１）全体又はその一部を浮かして垂直に立て、その状態で埋入する事もできる。これにより端部部材（６）（７）を圧縮バネ（３）の端部に垂直に固定する事ができる。
【００２４】
実施例２
図５は本発明の防振装置(1)の第２実施例(1b)を上部架台(A)と下部架台(B)との間に介設したときの断面図、図６はその防振装置(1b)の無負荷時の縦断面図、図７は防振装置(1b)に荷重を掛けた場合の断面図である。
第２実施例(1b)は、第１実施例(1a)と比較して、端部部材(6)(7)の代わりに有底伸縮筒体(2)が設けられており、それ以外は全て同一である。この有底伸縮筒体(2)は、互いに遊嵌し合う上部有底筒体(2a)と下部有底筒体(2b)とから構成されている。この例では、上部有底筒体(2a)の方が開口径が大きく設定されており、その周囲には従来例のような鍔が設けられていない。上・下部有底筒体(2a)(2b)は口径が異なる以外はほぼ同様に構成されている。すなわち、遊嵌し合う筒状本体部(21a)(21b)は上・下部架台(A)(B)に取付けられる閉塞端部となる閉塞端部(22a)(22b)と一体に樹脂成形されており、各閉塞端部(22a)(22b)の裏面にはそれぞれ遮音パッド(4)が貼着されている。
【００２５】
以上のように構成された防振装置(1a)(1b)は、フリーな状態の場合は図２、６に示すように圧縮バネ(3)が伸びた状態となる。図２の場合、端部部材(6)(7)が連結部材(5)により圧縮バネ(3)の上・下折曲端部(31)に連結されているので、これらはバラけることなく一体となって搬送することができる。
同様に図６の場合、上部有底筒体(2a)と下部有底筒体(2b)とが互いに遊嵌し合う開口縁部に従来のような互いに係合し合う鍔部が構成されていないが、上・下部有底筒体(2a)(2b)は連結部材(5)により圧縮バネ(3)の上・下端部(31)と連結されているので、同様にこれらはバラけることなく一体となって搬送することができる。
【００２６】
また、図１、５のように上部架台（Ａ）と下部架台（Ｂ）との間に介設し、又は基台（ｂ）と負荷（Ｆ）との間に直接介設し、連結部材（５）としてボルト体（５１）を使用した場合には、これが上・下部架台（Ａ）（Ｂ）、基台（ｂ）や負荷（Ｆ）への取付手段として機能することになる。
【００２７】
そしてこのように取付けられた防振装置（１ａ）（１ｂ）は、機器を載置した上部架台（Ａ）や負荷（Ｆ）の荷重に応じて圧縮され、負荷（Ｆ）からの振動や負荷（Ｆ）への振動を吸収するが、第１実施例の防振装置（１ａ）は、圧縮バネ（３）のみであり、第２実施例（１ｂ）では上部有底筒体（２ａ）と下部有底筒体（２ｂ）とは単に遊嵌し合うだけで、互いに接触する構造部は存在しないので振動が接触部分から伝達したりバネ特性が劣化したりせず、効果的な振動制御が達成される事となる。
【００２８】
【発明の効果】
本発明の防振装置によれば、これを構成する部材が一体物として取扱えるので、保管、梱包又は搬送が非常に便利である。
また、連結手段が取付手段としても併用できるので、架台への取付けが簡便にできる他、組み立てに際しては圧縮バネを撓ませる必要がないので、組み立てが簡単である。
また、伸縮有底筒体が伸縮する際に互いに接触する構造を有していないので、接触部分から振動が伝達するというような事もなければ、バネ特性を劣化させるというような事もない。
さらにまた、端部部材又は有底伸縮筒体の閉塞端面に設けられたモールド部材内に圧縮バネの端部の全部又は一部を浮かして埋入するようにしているので、圧縮バネの折曲端部が圧縮バネの中心軸に対して直角でない場合であっても、圧縮バネを端部部材又は有底伸縮筒体の閉塞端面に垂直に取り付ける事ができる。
【図面の簡単な説明】
【図１】本発明の防振装置の第１実施例を基台と負荷との間に介設したときの断面図
【図２】本発明の防振装置の第１実施例の装着時の拡大縦断面図
【図３】本発明の防振装置の第１実施例の無負荷状態の一部切欠斜視図
【図４】本発明の防振装置の第１実施例の他の例の装着時の拡大縦断面図
【図５】本発明の防振装置の第２実施例を上・下部架台間に介設したときの斜視図
【図６】図５の防振装置に予圧を掛けないときの縦断面図
【図７】図５の防振装置を上・下架台に介装した場合の断面図
【図８】図５の平断面図
【図９】本発明において連結部材として使用するボルト体の斜視図
【図１０】従来例の防振装置の使用時の縦断面図
【図１１】従来例の問題点を説明する縦断面図
【符号の説明】
（１）…防振装置                          （２）…有底伸縮筒体
（２ａ）…上部有底筒体                    （２ｂ）…下部有底筒体
（３）…圧縮バネ                          （４）…遮音パッド
（５）…ボルト体                          （５ａ）…バネ係止用挿通孔
（２１ａ）（２１ｂ）…筒状本体部                （２２ａ）（２２ｂ）…閉塞端部
（２３ａ）（２３ｂ）…ボルト挿通孔
（３１）…係止用端部                      （３２）…キャップ
（５２）…ボルト本体                      （５３）…ナット
【図１】
0003569016.tif 000002
【図２】
0003569016.tif 000003
【図３】
0003569016.tif 000004
【図４】
0003569016.tif 000005
【図５】
0003569016.tif 000006
【図６】
0003569016.tif 000007
【図７】
0003569016.tif 000008
【図８】
0003569016.tif 000009
【図９】
0003569016.tif 000010
【図１０】
0003569016.tif 000011
【図１１】
0003569016.tif 000012